(57)【要約】【課題】避難する人が無理なく避難床面に避難することができ、また避難のための小さな船の繋留も可能とし、安全な津波対策用避難設備を提供する。【解決手段】外面が円形の鉄柱２に支持された複数段の避難床面３を備えて避難棟１が構成され、前記避難床面３は金属製のメッシュ状床材により多数の避難した人や自動車などの重量に耐えることができるように作られており、１階の地面４から最上階の避難床面３には各階を繋ぐスロープ５により上り下りできるように構成され、前記スロープも避難床面３と同様に金属製のメッシュ状床材により多数の避難する人や自動車などの重量に耐えることができるように作られており、前記スロープ５の外側部に存在する枠体７には金属製のメッシュ状壁８が起倒可能に立設されており、さらに枠体７の外面には救助用の小型船９を繋留するためのフック１０が長さ方向に適当間隔おきに設けられている。【選択図】図１
2008014016.tif 000002
【特許請求の範囲】
【請求項１】
外面が円形の支柱に支持された複数段の避難床面を備えて避難棟が構成され、前記避難床面は金属製のメッシュ状床材により多数の避難した人や自動車などの重量に耐えることができるように作られており、１階の地面から最上階の避難床面には各階を繋ぐスロープにより上り下りできるように構成され、前記スロープも避難床面と同様に金属製のメッシュ状床材により多数の避難する人や自動車などの重量に耐えることができるように作られており、前記スロープの外側部に存在する枠体には金属製のメッシュ状壁が起倒可能に立設されており、さらに枠体の外面には救助用の小型船を繋留するためのフックが設けられていることを特徴とする津波対策用避難設備。
【請求項２】
最上階の避難床面には救助用のヘリコプターが離着陸できるようにヘリポートが設けられているとともに、避難者を救助するための工具や、小型重機、発電機、非常食、携帯電話などの通信機器、簡易トイレ、防災マニュアル、救命胴衣、浮き輪、ラジオ、テレビジョン受像機など防災・救急時に必要なものを保管する保管庫および照明設備さらには防災放送用のスピーカーが設けられていることを特徴とする請求項１記載の津波対策用避難設備。
【発明の詳細な説明】
【技術分野】
【０００１】
本発明は、津波発生時に避難できるようにした津波対策用避難設備に関するものである。
【背景技術】
【０００２】
従来から知られている津波対策用避難設備としては例えば特許文献１に開示されているような高架式金属構造物がある。
この高架式金属構造物は、金属製の柱材を地中に打ち込んで橋脚状に構成された土台部分と、橋脚状の土台部分の上に金属パネルにより構成された高床の屋内部分とを具備してなる避難棟である。
【特許文献１】特開平９−１８４３２３号公報
【発明の開示】
【発明が解決しようとする課題】
【０００３】
上記特許文献１に開示されている高架式金属構造物の構成では、土台部分の上に屋内部分が一段形成されているだけであり、この屋内部分は高い位置に作られることになり、この屋内部分に昇るのに階段が設けられるものの、階段は急傾斜となって幅の狭い階段の場合、避難する人が殺到して階段から落ちて怪我するという危険性がある。
【０００４】
本発明の目的は、このような課題を解決するものであり、避難する人が無理なく避難床面に避難することができ、また避難のための小さな船の繋留も可能とし、安全な津波対策用避難設備を提供することにある。
【課題を解決するための手段】
【０００５】
本発明の請求項１に記載の津波対策用避難設備は、外面が円形の支柱に支持された複数段の避難床面を備えて避難棟が構成され、前記避難床面は金属製のメッシュ状床材により多数の避難した人や自動車などの重量に耐えることができるように作られており、１階の地面から最上階の避難床面には各階を繋ぐスロープにより上り下りできるように構成され、前記スロープも避難床面と同様に金属製のメッシュ状床材により多数の避難する人や自動車などの重量に耐えることができるように作られており、前記スロープの外側部に存在する枠体には金属製のメッシュ状壁が起倒可能に立設されており、さらに枠体の外面には救助用の小型船を繋留するためのフックが設けられていることを特徴とする。
【０００６】
請求項２に記載の津波対策用避難設備は、最上階の避難床面には救助用のヘリコプターが離着陸できるようにヘリポートが設けられているとともに、避難者を救助するための工具や、小型重機、発電機、非常食、携帯電話などの通信機器、簡易トイレ、防災マニュアル、救命胴衣、浮き輪、ラジオ、テレビジョン受像機など防災・救急時に必要なものを保管する保管庫および照明設備さらには防災放送用のスピーカーが設けられていることを特徴とする。
【発明の効果】
【０００７】
以上のように、本発明の津波対策用避難設備は、１階の地面から最上階の避難床面には各階を繋ぐスロープにより上り下りできるように構成されているので、階段を上り下りする設備に比べて避難する人が無理なく避難床面に避難することができる。また、避難棟の避難床面を支える支柱は外面が円形であり、また避難床面、スロープ、スロープの外側部に存在する壁はそれぞれメッシュ状の材料で作られているので、水による抵抗を受けにくくなり、安全な津波対策用避難設備を提供できる。また、救助用の小型船に乗った避難者は小型船を前記フックに繋留するとともに前記メッシュ状壁の一部をスロープ上に倒した状態でスロープの上に載り、避難床面上に避難することができる。最上階の避難床面の上に救助用のヘリコプターが離着陸できるヘリポートや、避難者を救助するための工具、小型重機、発電機、非常食、携帯電話などの通信機器、簡易トイレ、防災マニュアル、救命胴衣、浮き輪、ラジオ、テレビジョン受像機など防災・救急時に必要なものを保管する保管庫および照明設備さらには防災放送用のスピーカーなどを設けることにより、重症人など緊急を有する人をヘリコプターで病院に運ぶことができ、また避難場所を知らない人に避難設備の場所を照明設備やスピーカーで教えたりすることができ、さらには保管庫の中に非常食や簡易トイレなどが保管されていることにより地上に降りるまでの間生活することができる。
【発明を実施するための最良の形態】
【０００８】
以下、本発明の一実施の形態を、図１および図２を用いて具体的に説明する。
図において、１は地震による津波による影響（被害）を受けやすい地域に建造される避難棟で、この避難棟１は外面が円形の鉄柱２を支柱として複数段の避難床面３が形成されて、平面形状が長方形を呈している。前記避難床面３は金属製のメッシュ状床材により多数の避難した人や自動車などの重量に耐えることができるように作られており、地面４を１階とした場合、４階建ての避難棟１となるように避難床面３が形成されている。そして、１階の地面４から２階の避難床面３、３階の避難床面３から３階の避難床面３、３階の避難床面３から４階の避難床面３へは平面形状が長方形の避難棟１の１側面においてそれぞれ緩やかなスロープ５により上がることができるようになっている。このスロープ５も避難床面３と同様に金属製のメッシュ状床材により多数の避難する人や自動車などの重量に耐えることができるように作られており、その幅も人や自動車が同時に上ることができるように作られている。
【０００９】
なお、図面に示す実施の形態ではスロープ５の一側部に沿って歩行者や車椅子に乗った人が恐怖感なく上ることができるようにメッシュの孔を隠すためのシート状床材６が敷設されている。また、スロープ５の他側部（外側部）に存在する枠体７には金属製のメッシュ状壁８が起倒可能に立設されており、さらに枠体７の外面には救助用の小型船９を繋留するためのフック１０が長さ方向に適当間隔おきに設けられている。１１は１階の地面３および２〜４階の各避難床面３の外周に適宜設けられた金属製のメッシュ状壁である。
【００１０】
前記１階の地面４および２階と３階の避難床面３，３は普段は駐輪場や駐車場として自転車、単車、自動車などを適宜止めて利用できるようになっている。最上階の４階の避難床面３には救助用のヘリコプター１２が離着陸できるようにヘリポート１３が設けられているとともに、避難者を救助するための工具や、小型重機、発電機、非常食、携帯電話などの通信機器、簡易トイレ、防災マニュアル、救命胴衣、浮き輪、ラジオ、テレビジョン受像機など防災・救急時に必要なものを保管する保管庫１４および照明設備１５さらには防災放送用のスピーカー１６などが設けられている。２階，３階の避難床面３，３の高さまで津波が押し寄せる危険性がある場合は最上階の４階の避難床面３で避難するのであるが、２階〜４階の避難床面３，３，３に分散して避難する場合も考えて、各避難床面３には避難した人が一時的に居住できるように雨や風よけのために幕などを設けることも可能である。
【００１１】
上記構成の避難設備は普段は駐輪場や駐車場として利用できるようになっているが、津波が発生した場合は津波の高さに応じて２階〜４階の避難床面３，３，３を選びスロープ５を上って避難することができる。また、救助用の小型船に乗った避難者は小型船９を前記フック１０に繋留するとともに前記メッシュ状壁８の一部をスロープ５上に倒した状態でスロープ５の上に載り、避難床面３上に避難することができる。４階の避難床面３の上には救助用のヘリコプター１２が離着陸できるヘリポート１３や、避難者を救助するための工具、小型重機、発電機、非常食、携帯電話などの通信機器、簡易トイレ、防災マニュアル、救命胴衣、浮き輪、ラジオ、テレビジョン受像機など防災・救急時に必要なものを保管する保管庫１４および照明設備１５さらには防災放送用のスピーカー１６などが設けられているので、重症人など緊急を有する人をヘリコプター１２で病院に運ぶことができ、また避難場所を知らない人に避難設備の場所を照明設備１５やスピーカー１６で教えたりすることができ、さらには保管庫１４の中に非常食や簡易トイレなどが保管されていることにより地上に降りるまでの間生活することができる。
【図面の簡単な説明】
【００１２】
【図１】本発明の一実施の形態における津波対策用避難設備の全体斜視図である。
【図２】同避難状態を示す全体斜視図である。
【符号の説明】
【００１３】
１    避難棟
２    鉄柱
３    避難床面
４    地面
５    スロープ
６    シート状床材
７    枠体
８    メッシュ状壁
９    小型船
１０    フック
１１    メッシュ状壁
１２    ヘリコプター
１３    ヘリポート
１４    保管庫
１５    照明設備
１６    スピーカー
【図１】
2008014016.tif 000003
【図２】
2008014016.tif 000004